(57)【要約】【課題】信号波の伝送速度選択とアンテナダイバーシチを制御して、フェージング環境に適合すると共に節電に配慮した受信条件の設定を迅速に行う。【解決手段】携帯通信端末１は、地上波ディジタルテレビジョン放送（ＤＴＴＢ）のフルセグ放送波又はワンセグ放送波を、アンテナダイバーシチ受信又はシングル（ダイバーシチを行わない）受信の条件で受信することができる。携帯通信端末１は自身の移動速度を検出し、その結果に基づいて受信信号の搬送波電力対雑音電力比（ＣＮＲ）に対してしきい値（１）としきい値（２）を可変に設定することができる。携帯通信端末１は、受信信号のＣＮＲがしきい値（１）を下回るならばワンセグ受信、しきい値（１）以上でしきい値（２）以下ならばフルセグ、ダイバーシチ受信、しきい値（２）を上回るならばフルセグ受信するように制御することができる。【選択図】図５
2010258718.tif 000002
【特許請求の範囲】
【請求項１】
伝送速度が相異なる２種類以上の信号波を、２基以上のアンテナを用いるダイバーシチ受信方式又は１基のアンテナを用いるシングル受信方式により切り換えて受信することができる無線装置において、
移動速度を検出することができる速度検出手段と、
前記２種類以上の信号波のいずれかと前記ダイバーシチ又はシングル受信方式の組み合わせにより定まる受信モードにしたがって前記信号波を受信することができる受信手段と、
前記受信手段が受信する信号の品質を検出することができる受信品質検出手段と、
前記速度検出手段が検出した移動速度に対応して前記受信信号の品質に係るしきい値を可変に設定し、かつ、前記受信品質検出手段が検出した信号の品質と前記しきい値の大小により前記受信モードを選択して前記受信手段に対して指示することができる制御手段と
を備えたことを特徴とする無線装置。
【請求項２】
前記制御手段は、前記しきい値として第１の値と前記第１の値より大きい第２の値を可変に設定すると共に、
前記受信品質検出手段が検出した信号の品質が前記第１の値を下回るならば、 前記受信手段が前記２種類以上の信号波のうち第１の信号波を受信するように指示し、
前記受信品質検出手段が検出した信号の品質が前記第１の値以上で前記第２の値以下であるならば、前記受信手段が前記２種類以上の信号波のうち前記第１の信号波より伝送速度の高い第２の信号波をダイバーシチ受信するように指示し、
前記受信品質検出手段が検出した信号の品質が前記第２の値を上回るならば、前記受信手段が前記第２の信号波をシングル受信するように指示することができることを特徴とする請求項１に記載の無線装置。
【請求項３】
伝送速度が相異なる２種類以上の信号波を、２基以上のアンテナを用いるダイバーシチ受信方式又は１基のアンテナを用いるシングル受信方式により切り換えて受信することができ、かつ、電池駆動されることができる無線装置において、
前記２種類以上の信号波のいずれかと前記ダイバーシチ又はシングル受信方式の組み合わせにより定まる受信モードにしたがって前記信号波を受信することができる受信手段と、
前記受信手段が受信する信号の品質を検出することができる受信品質検出手段と、
移動速度を検出することができる速度検出手段と、
電池残量レベルを検出することができる電池残量レベル検出手段と、
前記速度検出手段が検出した移動速度及び前記電池残量レベル検出手段が検出した電池残量レベルに対応して前記受信信号の品質に係るしきい値を可変に設定し、かつ、前記受信品質検出手段が検出した信号の品質と前記しきい値の大小により前記受信モードを選択して前記受信手段に対して指示することができる制御手段と
を備えたことを特徴とする無線装置。
【請求項４】
前記制御手段は、前記しきい値として第１の値と前記第１の値より大きい第２の値を可変に設定すると共に、
前記受信品質検出手段が検出した信号の品質が前記第１の値を下回るならば、前記受信手段が前記２種類以上の信号波のうち第１の信号波を受信するように指示し、
前記受信品質検出手段が検出した信号の品質が前記第１の値以上で前記第２の値以下であるならば、前記受信手段が前記２種類以上の信号波のうち前記第１の信号波より伝送速度の高い第２の信号波をダイバーシチ受信するように指示し、
前記受信品質検出手段が検出した信号の品質が前記第２の値を上回るならば、前記受信手段が前記第２の信号波をシングル受信するように指示することができることを特徴とする請求項３に記載の無線装置。
【請求項５】
前記制御手段は、
前記電池残量レベル検出手段が検出した電池残量レベルが予め定めた限界レベルを下回り、かつ、前記受信品質検出手段が検出した信号の品質が前記しきい値を下回るならば、前記受信手段が前記２種類以上の信号波のうち第１の信号波を受信するように指示し、
前記電池残量レベル検出手段が検出した電池残量レベルが前記限界レベルを下回り、かつ、前記受信品質検出手段が検出した信号の品質が前記しきい値以上であるならば、前記受信手段が前記２種類以上の信号波のうち前記第１の信号波より伝送速度の高い第２の信号波をシングル受信するように指示することができることを特徴とする請求項３に記載の無線装置。
【請求項６】
前記制御手段は、前記電池残量レベル検出手段が検出した電池残量レベルが予め定めた限界レベルを下回るならば、前記受信手段が前記２種類以上の信号波のうち１種類の信号波を受信するように指示することができることを特徴とする請求項３に記載の無線装置。
【請求項７】
前記第１の信号波及び前記第２の信号波は、それぞれ地上波ディジタルテレビジョン放送のワンセグメント放送波及びフルセグメント放送波であることを特徴とする請求項２、請求項５又は請求項６のいずれか１項に記載の無線装置。
【請求項８】
伝送速度が相異なる２種類以上の信号波を、２基以上のアンテナを用いるダイバーシチ受信方式又は１基のアンテナを用いるシングル受信方式により切り換えて受信する無線装置の受信方法において、
前記無線装置の移動速度を検出し、
前記検出した移動速度に対応して受信信号の品質に係るしきい値を可変に設定し、
受信信号の品質を検出して前記しきい値との大小を判定し、
前記判定の結果により、前記２種類以上の信号波のいずれかと前記ダイバーシチ又はシングル受信方式のいずれかの組み合わせにより定まる２以上のモードを切り換えて前記信号波を受信する
ことを特徴とする受信方法。
【請求項９】
伝送速度が相異なる２種類以上の信号波を、２基以上のアンテナを用いるダイバーシチ受信方式又は１基のアンテナを用いるシングル受信方式により切り換えて受信する、電池駆動された無線装置の受信方法において、
電池残量レベルを検出し、
前記無線装置の移動速度を検出し、
前記検出した電池残量レベル及び前記検出した移動速度に対応して受信信号の品質に係るしきい値を可変に設定し、
受信信号の品質を検出して前記しきい値との大小を判定し、
前記判定の結果により、前記２種類以上の信号波のいずれかと前記ダイバーシチ又はシングル受信方式のいずれかの組み合わせにより定まる２以上のモードを切り換えて前記信号波を受信する
ことを特徴とする受信方法。
【発明の詳細な説明】
【技術分野】
【０００１】
本発明は無線装置及び受信方法に係り、特にアンテナダイバーシチ機能を備えた無線装置及び該無線装置の受信方法に関する。
【背景技術】
【０００２】
通信又は放送の分野において、伝送速度や周波数チャネルの条件を異にする２種類以上の方式により映像や音声を含む情報を伝送するシステムが知られている。その一例が、地上波ディジタルテレビジョン放送（以下、英文呼称の頭文字をとってＤＴＴＢと略す。）のシステムである。
【０００３】
ＤＴＴＢシステムにおいては、ＵＨＦ帯（４７０−７７０メガヘルツ（ＭＨｚ））を５０のチャネルに分け、そのうち１つのチャネルの周波数帯域幅６ＭＨｚ（実効５．５７ＭＨｚ帯域幅とチャンネル間約４３０ＫＨｚ幅のガードバンド）をさらに１３のセグメントに分けている。全１３セグメントのうち、高画質のハイビジョン放送には１２セグメントが、標準画質放送には4セグメントがそれぞれ割り当てられる（１２セグメントを割り当てられた放送がいわゆるフルセグ放送である。）。
【０００４】
移動端末（例えば携帯電話）に関しては、画面サイズ及び表示性能の制約を考慮して１セグメントを割り当て（いわゆるワンセグ放送）、相対的に低解像度の画面再生が可能であるほか、機種によってはフルセグ放送を受信できるものもある。そのような移動端末は、フェージングに起因する伝送特性の劣化を補うために、ダイバーシチ受信方式をとることがある。移動端末が複数のアンテナを切り換えたりして行うアンテナダイバーシチが、その代表例である。
【０００５】
移動端末は電池駆動されることから、固定型の機器に比べて消費電力の制約が大きい。そのため、アンテナダイバーシチ機能を備えていても、強電界下で良好な受信品質が得られる（ビット誤り率が所定の値以下である）場合には一方のアンテナのみを用いて受信し（シングル受信）、弱電界下で受信品質が低下した（ビット誤り率が所定の値を超える）場合にダイバーシチ受信するように制御することがある。
【０００６】
ところで、移動通信環境において所定の値以下のビット誤り率を与える信号波の搬送波電力対雑音電力比（所要ＣＮＲ）は、移動速度に依存して変動することが知られている（例えば、特許文献１又は特許文献２参照。）。上記の特許文献１又は特許文献２は、移動端末の移動速度を検出し、その検出結果に対応してシングル受信とダイバーシチ受信を切り換えるためのＣＮＲのしきい値を設定するという技術を開示している。
【先行技術文献】
【特許文献】
【０００７】
【特許文献１】特開２００７−２２１６４０号公報（第１２ページ、図４）
【特許文献２】特開２００７−１１６４５４号公報（第１１ページ、図１１）
【発明の概要】
【発明が解決しようとする課題】
【０００８】
移動端末（移動通信又は移動中の放送受信に適した小型の無線装置）の消費電力はアンテナダイバーシチの如何だけでなく、やりとりする信号波の伝送速度にも左右される。上述したＤＴＴＢのワンセグ受信とフルセグ受信の差はその一例であり、表示画面の解像度の差に直結することから消費電力に与える影響が大きい。上記の特許文献１又は特許文献２に開示された技術は、そのような信号波の伝送速度に対応する制御を行うことができないという問題がある。
【０００９】
本発明は上記問題を解決するためになされたもので、無線装置の移動速度に対応して設定したしきい値に基づいて信号波の伝送速度を選択すると共にアンテナダイバーシチを制御し、フェージング環境に適合すると共に節電に配慮した受信条件の設定を迅速に行えるようにすることを目的とする。
【課題を解決するための手段】
【００１０】
上記目的を達成するために、本発明の無線装置は、伝送速度が相異なる２種類以上の信号波を、２基以上のアンテナを用いるダイバーシチ受信方式又は１基のアンテナを用いるシングル受信方式により切り換えて受信することができる無線装置において、移動速度を検出することができる速度検出手段と、前記２種類以上の信号波のいずれかと前記ダイバーシチ又はシングル受信方式の組み合わせにより定まる受信モードにしたがって前記信号波を受信することができる受信手段と、前記受信手段が受信する信号の品質を検出することができる受信品質検出手段と、前記速度検出手段が検出した移動速度に対応して前記受信信号の品質に係るしきい値を可変に設定し、かつ、前記受信品質検出手段が検出した信号の品質と前記しきい値の大小により前記受信モードを選択して前記受信手段に対して指示することができる制御手段とを備えたことを特徴とする。
【００１１】
また、本発明の受信方法は、伝送速度が相異なる２種類以上の信号波を、２基以上のアンテナを用いるダイバーシチ受信方式又は１基のアンテナを用いるシングル受信方式により切り換えて受信する無線装置の受信方法において、前記無線装置の移動速度を検出し、前記検出した移動速度に対応して受信信号の品質に係るしきい値を可変に設定し、受信信号の品質を検出して前記しきい値との大小を判定し、前記判定の結果により、前記２種類以上の信号波のいずれかと前記ダイバーシチ又はシングル受信方式のいずれかの組み合わせにより定まる２以上のモードを切り換えて前記信号波を受信することを特徴とする。
【発明の効果】
【００１２】
本発明によれば、受信信号の品質としきい値を比較して伝送速度とアンテナダイバーシチの組み合わせに係る受信モードを選択することにより、無線装置の移動速度に対応して設定したしきい値に基づいて信号波の伝送速度を選択すると共にアンテナダイバーシチを制御し、フェージング環境に適合すると共に節電に配慮した受信条件の設定を迅速に行うことができる。
【図面の簡単な説明】
【００１３】
【図１】本発明の実施例１に係る無線装置である携帯通信端末の外観図。
【図２】本発明の実施例１に係る携帯通信端末のブロック図。
【図３】本発明の実施例１に係る携帯通信端末のテレビジョン放送受信部のブロック図。
【図４】本発明の実施例１に係る携帯通信端末のテレビジョン放送受信制御部のブロック図。
【図５】本発明の実施例１に係るＣＮＲの測定データ、しきい値及び受信モード設定の関係を例示する概念図。
【図６】本発明の実施例２に係る無線装置である携帯通信端末のブロック図。
【図７】本発明の実施例２に係る携帯通信端末のＣＮＲの測定データ、しきい値及び受信モード設定の第１の例を表す概念図。
【図８】本発明の実施例２に係る携帯通信端末のＣＮＲの測定データ、しきい値及び受信モード設定の第２の例を表す概念図。
【図９】本発明の実施例２に係る携帯通信端末のＣＮＲの測定データ、しきい値及び受信モード設定の第３の例を表す概念図。
【発明を実施するための形態】
【００１４】
以下、図面を参照して、本発明の実施例を説明する。
【実施例１】
【００１５】
以下、図１ないし図５を参照して、本発明の実施例１を説明する。図１は、本発明の実施例１に係る無線装置であるテレビジョン放送受信機能を備えた携帯通信端末１の外観図である。携帯通信端末１は、第１筐体１１と第２筐体１２が開閉可能に接続されて構成される。図１は、第１筐体１１と第２筐体１２が互いに開いた状態を使用者側（正面側）から見て表したものである。ただし、携帯通信端末１の筐体構成は、図１に表したようないわゆる折りたたみ型に限るものではない。
【００１６】
第１筐体１１には、例えば液晶デバイスからなる表示部１４が取り付けられている。表示部１４はテキスト又は画像を表示することができ、携帯通信端末１は表示部１４を用いて画面表示を伴うアプリケーション（例えば電子メール送受信、ウェブページ閲覧、電話帳の作成と閲覧、その他）を実行することができる。第１筐体１１には、受話部１５が取り付けられている。第２筐体１２には、送話部１６が取り付けられている。携帯通信端末１は、受話部１５と送話部１６を備えたことにより、音声通話に用いることができる。
【００１７】
第２筐体１２には、複数の操作キーからなる操作部１７（破線の枠で囲んで表す。）が取り付けられている。操作部１７は、図示しない第１筐体１１又は第２筐体１２の側面又は背面に設けられた操作キーを含んでもよい。操作部１７に属する操作キーが操作されることにより、携帯通信端末１の起動、停止操作又はテキストや操作コマンドの入力が可能になる。上述した表示部１４、受話部１５、送話部１６及び操作部１７は、いずれも携帯通信端末１のヒューマンインターフェース手段として機能する。
【００１８】
図２は、携帯通信端末１のブロック図である。携帯通信端末１は、アンテナ１９と送受信部２０を備え、図示しない移動通信基地局との間で電波の送受信をすることができる。携帯通信端末１は、音声インターフェース部２１、制御部２２、ランダムアクセスメモリ（ＲＡＭ）２３及び読み出し専用メモリ（ＲＯＭ）２４を備えている。
【００１９】
送受信部２０、音声インターフェース部２１、ＲＡＭ２３及びＲＯＭ２４並びに図１を参照して説明した表示部１４及び操作部１７は、例えば共通バスを通してそれぞれ制御部２２に接続され、制御部２２によって監視及び制御される。制御部２２は、例えばマイクロプロセッサのような処理デバイスが単一で、又は複数のチップが組み合わされて構成される。なお、携帯通信端末１の主要な構成（上述したもの、及び後述するもの）は、それぞれ図２に示すように例えば上記の共通バスを介して制御部２２と接続され、又は互いに接続されている。
【００２０】
ＲＡＭ２３は、携帯通信端末１の機能を実現するために制御部２２が所要のプログラム又はデータを随時読み書きして使用するメモリである。ＲＯＭ２４は、プログラム又はデータが予め書き込まれたメモリである。
【００２１】
音声通話の場合、相手方から上記の基地局を通して送られてくる符号化された音声信号は、アンテナ１９を経て送受信部２０において受信されると共に復調及び誤り訂正復号等の処理がされ、さらに音声インターフェース部２１においてアナログ音声信号に変換されると共に受話部１５から再生される。また、送話部１６がピックアップした音声は音声インターフェース部２１においてディジタル音声信号に変換され、送受信部２０において誤り訂正符号化、変調及び増幅された後アンテナ１９から基地局へ向けて送信される。
【００２２】
データ通信の場合、相手方から上記の基地局を通して送られてくるデータ信号は、アンテナ１９を経て送受信部２０において受信されると共に復調、誤り訂正等の処理がされ、制御部２２に送られてＲＡＭ２３に書き込まれたり表示部１４に表示されたりする。また、操作部１７から入力されたりＲＡＭ２３から読み出されたりしたデータは、送受信部２０において誤り訂正符号化、変調及び増幅された後アンテナ１９から基地局へ向けて送信される。
【００２３】
携帯通信端末１は、第１テレビジョン放送受信アンテナ（以下、第１ＴＶアンテナと略す。）２５ａ及び第２テレビジョン放送受信アンテナ（以下、第２ＴＶアンテナと略す。）２５ｂ、テレビジョン放送受信部（以下、ＴＶ受信部と略す。）２６並びに速度検出部２７を備えている。ＴＶ受信部２６の内部の構成については、図３を参照して後述する。速度検出部２７は携帯通信端末１の移動速度を検出するもので、例えば加速度センサ又は全地球航法システム（ＧＰＳ）受信機であるが、ＴＶ受信部２６に内蔵するテレビジョン放送波のドップラ周波数検出手段であってもよい。
【００２４】
図３は、ＴＶ受信部２６の内部の構成を表すブロック図である。ＴＶ受信部２６は、第１高周波部２８ａ、第２高周波部２８ｂ及び復調・復号部２９を備えている。第１高周波部２８ａは、第１ＴＶアンテナ２５ａを通してＤＴＴＢ（フルセグ放送又はワンセグ放送）波を受信することができる。第２高周波部２８ｂは、第２ＴＶアンテナ２５ｂを通してＤＴＴＢ波を受信することができる。
【００２５】
ＴＶ受信部２６は、復調・復号部２９を備えている。復調・復号部２９は、第１高周波部２８ａ又は第２高周波部２８ｂからＤＴＴＢ波の受信信号を得て、搬送された画像・音声信号を復調及び復号し、それぞれ表示部１４及び音声インターフェース部２１に送ることができる。表示部１４は、復号されたＤＴＴＢの放映画像を表示することができる。音声インターフェース部２１は、復号されたＤＴＴＢの音声を受話部１５又は図示しないイヤホンジャック等から再生させることができる。
【００２６】
復調・復号部２９は、放送波の受信信号における搬送波電力対雑音電力比（ＣＮＲ）を測定し、図４を参照して後述するテレビジョン放送受信制御部（ＴＶ受信制御部）３０に送ることができる。復調・復号部２９は、フルセグ受信又はワンセグ受信のいずれかと、第１ＴＶアンテナ２５ａ及び第２ＴＶアンテナ２５ｂの一方を用いるシングル受信方式又は両方を用いるダイバーシチ受信方式の組み合わせにより定まる受信モードを指示する制御信号をＴＶ受信制御部３０から得て、受信モードを設定することができる。復調・復号部２９は、設定した受信モードにしたがってＤＴＴＢ波に対する復調及び復号の処理を行うことができる。
【００２７】
再び図２を参照して、携帯通信端末１の構成を引き続き説明する。携帯通信端末１は、テレビジョン放送受信制御部（以下、ＴＶ受信制御部と略す。）３０を備えている。図４は、ＴＶ受信制御部３０の内部の構成を表すブロック図である。ＴＶ受信制御部３０は、しきい値設定部３１と、受信モード選択部３２を備えている。
【００２８】
しきい値設定部３１は、速度検出部２７が検出した携帯通信端末１の移動速度のデータを得て、移動速度に依存するＣＮＲの１以上のしきい値を設定する。このしきい値の設定は、従来技術（例えば特許文献１参照。）に基づいて行うことができる。受信モード選択部３２は、ＴＶ受信部２６の復調・復号部２９からＣＮＲの測定結果のデータを得て、しきい値設定部３１が設定したしきい値と比較する。受信モード選択部３２は、ＣＮＲの測定データと１以上のしきい値の大小関係に基づき受信モードを選択して、ＴＶ受信部２６に対して指示する。
【００２９】
図５を参照して、上記の受信モード設定の一例を説明する。図５は、実施例１におけるＣＮＲの測定データと、ＣＮＲのしきい値と、受信モード設定の関係を例示する概念図である。図５に示した例においては、しきい値設定部３１は２通りのＣＮＲのしきい値（しきい値（１）及びしきい値（２）、後者は前者より大きい。）を設定する。当該しきい値（１）及びしきい値（２）が携帯通信端末１の移動速度のデータに依存することは、前述の通りである。
【００３０】
受信モード選択部３２は、ＣＮＲの測定データと上記のしきい値（１）及びしきい値（２）を比較する。ＣＮＲの測定データがしきい値（１）を下回るならば、受信モード選択部３２はワンセグ受信のモードを選択して復調・復号部２９に指示する。フェージングの影響が大きい低ＣＮＲの条件下では、伝送速度の大きいフルセグ放送波を良好な状態で受信することが難しいからである。
【００３１】
ＣＮＲの測定データがしきい値（１）以上でしきい値（２）以下であるならば、受信モード選択部３２はフルセグ、ダイバーシチ受信のモードを選択して復調・復号部２９に指示する。ＣＮＲの上記の範囲では一応フルセグ放送波を受信することができるが、フェージングに起因する伝送特性の劣化を補うためにはダイバーシチ受信することが適切である。
【００３２】
ＣＮＲの測定データがしきい値（２）を上回るならば、受信モード選択部３２はフルセグ、シングル受信のモードを選択して復調・復号部２９に指示する。十分なＣＮＲが得られる条件下では、ダイバーシチ受信よりも消費電力を抑えられるシングル受信を良好な状態で行うことができるからである。
【００３３】
以上に説明した受信モードの設定は一例であって、各種の変形が可能である。例えば、信号波の伝送速度はフルセグ又はワンセグの２通りとして説明したが、より多種類の伝送速度を選択させるシステムもあり得る。ダイバーシチ受信に関しても、単なるシングル受信との切り換えだけでなく、例えばさらに合成ダイバーシチ受信を選択肢に含むケースがあり得る。
【００３４】
なお、実施例１では受信品質をＣＮＲで表すものとしたが、例えばビット誤り率（ＢＥＲ）等の他のパラメータで表してもよい。実施例１に係る無線装置は、必ずしも携帯電話機のような携帯通信端末に限るものではない。
【００３５】
本発明の実施例１によれば、無線装置の移動速度に対応して設定したしきい値に基づいて信号波の伝送速度選択とアンテナダイバーシチ設定を同時に行うことにより、フェージング環境に適合すると共に節電に配慮した受信条件の設定を迅速に行うことができる。
【実施例２】
【００３６】
以下、図６ないし図９を参照して、本発明の実施例２を説明する。図６は、本発明の実施例２に係る無線装置であるテレビジョン放送受信機能を備えた携帯通信端末５のブロック図である。携帯通信端末５は、電池格納部５１と電池残量検出部５２を備えている。
【００３７】
電池格納部５１は図示しない電池を格納し、携帯通信端末５の各部に電池出力を供給することができる。電池残量検出部５２は例えば電池格納部５１の電極に接続して電圧を測定することにより、電池残量レベルを検出することができる。図６に表した携帯通信端末５のその他の構成は、図２に同じ符号を付して表した実施例１に係る携帯通信端末１の構成とそれぞれ同じであるから、説明を省略する。なお、ＴＶ受信部２６及びＴＶ受信制御部３０の構成は、それぞれ図３及び図４に表したとおりである。
【００３８】
実施例２に係る携帯通信端末５のしきい値設定部３１は、速度検出部２７が検出した携帯通信端末５の移動速度のデータと電池残量検出部５２が検出した電池残量レベルのデータを得て、ＣＮＲの１以上のしきい値を設定する。
【００３９】
実施例１に係る携帯通信端末１のしきい値設定部３１は、例えばワンセグ受信とフルセグ、ダイバーシチ受信を切り換えるしきい値を、移動速度が小さいときは下げて移動速度が大きいときは上げるように制御することができた。実施例２に係る携帯通信端末５のしきい値設定部３１は、上記のように設定したしきい値を、例えばさらに電池残量レベルが低いときは上げて高いときは下げるように制御することができる。
【００４０】
受信モード選択部３２は、実施例１の場合と同様にＴＶ受信部２６の復調・復号部２９からＣＮＲの測定結果のデータを得て、しきい値設定部３１が設定したしきい値と比較する。受信モード選択部３２は、ＣＮＲの測定データと１以上のしきい値の大小関係に基づき受信モードを選択して、ＴＶ受信部２６に対して指示する。
【００４１】
図７を参照して、上記の受信モード設定の第１の例を説明する。図７は、実施例２におけるＣＮＲの測定データと、ＣＮＲのしきい値と、受信モード設定の関係を表す第１の例を示す概念図である。図７に示した例においては、しきい値設定部３１は２通りのＣＮＲのしきい値（しきい値（１）及びしきい値（２）、後者は前者より大きい。）を設定する。当該しきい値（１）及びしきい値（２）が携帯通信端末５の移動速度のデータ及び電池残量レベルのデータに依存することは、前述の通りである。
【００４２】
受信モード選択部３２は、ＣＮＲの測定データと上記のしきい値（１）及びしきい値（２）を比較する。ＣＮＲの測定データがしきい値（１）を下回るならば、受信モード選択部３２はワンセグ受信のモードを選択して復調・復号部２９に指示する。フェージングの影響が大きい低ＣＮＲの条件下では、伝送速度の大きいフルセグ放送波を良好な状態で受信することが難しいからである。
【００４３】
ＣＮＲの測定データがしきい値（１）以上でしきい値（２）以下であるならば、受信モード選択部３２はフルセグ、ダイバーシチ受信のモードを選択して復調・復号部２９に指示する。ＣＮＲの上記の範囲では一応フルセグ放送波を受信することができるが、フェージングに起因する伝送特性の劣化を補うためにはダイバーシチ受信することが適切である。
【００４４】
ＣＮＲの測定データがしきい値（２）を上回るならば、受信モード選択部３２はフルセグ、シングル受信のモードを選択して復調・復号部２９に指示する。十分なＣＮＲが得られる条件下では、ダイバーシチ受信よりも消費電力を抑えられるシングル受信を良好な状態で行うことができるからである。
【００４５】
図８を参照して、上記の受信モード設定の第２の例を説明する。図８は、ＣＮＲの測定データと、ＣＮＲのしきい値と、受信モード設定の関係を表す第２の例を示す概念図である。図８に示した例においては、電池残量レベルが予め定めた限界レベルを下回り、図７に示した第１の例の場合より低いものと仮定する。この場合、しきい値設定部３１はＣＮＲのしきい値を１つだけ設定する（実際には、例えば図７に示したしきい値（１）又はしきい値（２）のいずれか一方に有意でない範囲の値を与え、他方を移動速度及び電池残量レベルに対応して設定する。）。
【００４６】
受信モード選択部３２は、ＣＮＲの測定データと上記のしきい値を比較する。ＣＮＲの測定データがしきい値を下回るならば、受信モード選択部３２はワンセグ受信のモードを選択して復調・復号部２９に指示する。フェージングの影響が大きい低ＣＮＲの条件下では、伝送速度の大きいフルセグ放送波を良好な状態で受信することが難しいからである。
【００４７】
ＣＮＲの測定データがしきい値を上回るならば、受信モード選択部３２はフルセグ、シングル受信のモードを選択して復調・復号部２９に指示する。この場合、フルセグ受信に足りるＣＮＲが一応得られるとの前提であるが、第１の例の場合より電津残量レベルが低下しているので、消費電力を抑えるためにダイバーシチ受信を行わないようにしている。
【００４８】
図９を参照して、上記の受信モード設定の第３の例を説明する。図９は、ＣＮＲの測定データと受信モード設定の関係を表す第３の例を示す概念図である。図９に示した例においては、電池残量レベルが予め定めた限界レベルを下回り、図８に示した第２の例の場合より低いものと仮定する。この場合、しきい値設定部３１はＣＮＲのしきい値を設定しない（実際には、例えば図８に示したしきい値に有意でない範囲の値を与える。）。
【００４９】
この場合、受信モード選択部３２はＣＮＲの測定データ値によらずワンセグ受信のモードを選択して、復調・復号部２９に指示する。電池残量レベルの低下が著しいため、ＣＮＲとは無関係にフルセグ受信を行わないようにしている。
【００５０】
なお、実施例２では受信品質をＣＮＲで表すものとしたが、例えばビット誤り率（ＢＥＲ）等の他のパラメータで表してもよい。実施例２に係る無線装置は、必ずしも携帯電話機のような携帯通信端末に限るものではない。
【００５１】
本発明の実施例２によれば、移動速度だけでなく電池残量レベルにも合わせて受信品質のしきい値を設定し、電池残量が低下したときに節電を図ることができるという付加的な効果が得られる。
【００５２】
以上の実施例において説明した無線装置の形状、構成、接続、機能等の条件は例示であり、本発明の要旨を逸脱しない範囲でさまざまな変形が可能である。
【符号の説明】
【００５３】
１、５  携帯通信端末
１１  第１筐体
１２  第２筐体
１４  表示部
１５  受話部
１６  送話部
１７  操作部
１９  アンテナ
２０  送受信部
２１  音声インターフェース部
２２  制御部
２３  ＲＡＭ
２４  ＲＯＭ
２５ａ  第１ＴＶアンテナ
２５ｂ  第２ＴＶアンテナ
２６  ＴＶ受信部
２７  速度検出部
２８ａ  第１高周波部
２８ｂ  第２高周波部
２９  復調・復号部
３０  ＴＶ受信制御部
３１  しきい値設定部
３２  受信モード選択部
５１  電池格納部
５２  電池残量検出部
【図１】
2010258718.tif 000003
【図２】
2010258718.tif 000004
【図３】
2010258718.tif 000005
【図４】
2010258718.tif 000006
【図５】
2010258718.tif 000007
【図６】
2010258718.tif 000008
【図７】
2010258718.tif 000009
【図８】
2010258718.tif 000010
【図９】
2010258718.tif 000011